(57)【特許請求の範囲】
【請求項１】
画像信号の周波成分に基づいた評価値をカメラ本体から受信してフォーカスレンズ位置を制御する機能を有するとともに、
受信した測光データに基づいて第１の信号を送信するか否かを決定し、前記カメラ本体から送られてくる第２の信号に基づいて、オートフォーカス用の補助光が発光されている場合には補助光発光に伴うピントずれの補正を前記フォーカスレンズ位置の制御の際に行う補正手段を有する交換レンズが装着可能なカメラ本体であって、
測光データを前記交換レンズに送信でき、かつ第１の信号を受信するとともに、受信した当該第１の信号に応じて第２の信号を前記交換レンズに送信できる通信手段を備え、
前記第１の信号は前記オートフォーカス用の補助光の発光を指示する信号であり、前記第２の信号は受信した当該第１の信号に応じて当該補助光の発光／消灯状態を示す信号であることを特徴とするカメラ本体。
【請求項２】
測光データを送信でき、かつオートフォーカス用の補助光の発光を指示する第１の信号を受信するとともに、受信した当該第１の信号に応じて当該補助光の発光／消灯状態を示す第２の信号を送信できる第１の通信手段を備えたカメラ本体と装着可能なレンズ装置であって、
カメラ本体から受信した画像信号の周波成分に基づいた評価値に基づいてフォーカスレンズ位置を制御する制御手段と、
前記第１の信号を送信するとともに、前記測光データおよび前記第２の信号を受信できる第２の通信手段と、受信した前記測光データに基づいて前記第１の信号を送信するか否かを決定し、前記カメラ本体から送られてくる前記第２の信号に基づいて、前記オートフォーカス用の補助光が発光されている場合には補助光発光に伴うピントずれの補正を焦点調節の際に行う補正手段と
を備えたことを特徴とするレンズ装置。
【発明の詳細な説明】
【技術分野】
【０００１】
本発明は、カメラ本体およびレンズ装置に関し、特にそのオートフォーカス用の補助光発光の際のピント補正に関するものである。
【背景技術】
【０００２】
従来よりビデオカメラはＡＥ（オートエクスポージャ），ＡＦ（オートフォーカス）等あらゆる点で自動化，多機能化が図られ、良好な撮影が容易に行えるようになっている。
【０００３】
近年ビデオカメラは高性能化が進んでおり、デジタルスチルカメラのように静止画記録が行えるビデオカメラが増えてきており、パソコンの急速な普及によりますます静止画記録の需要が高まっている。また、より静止画をきれいに撮れるようにストロボを内蔵したり外付けでストロボが装着可能なものも現れている。
【０００４】
図５に従来のストロボを用いた静止画記録可能なビデオカメラの構成の一例を示す。図５において、１はピントを合せるためのフォーカスレンズであり、レンズ駆動用ドライバ１６によって光軸方向に移動させて焦点合わせを行う。このフォーカスレンズ１を通った光は絞り２で適切な光量に調節される。３は画角変倍率を可変させるための変倍レンズ（ズームレンズともいう）である。絞り２で適切な光量に調節された光はＣＣＤ４の撮像面上に結像されて、電気信号に光電変換される。この光電変換された信号はＣＣＤ４より基準クロックによって読み出され、ＣＤＳ（相関２重サンプリング）５，ＡＧＣ（自動利得制御）６でサンプル／ホールドされると同時に最適なゲインで増幅され、Ａ／Ｄ変換器７で基準クロックに同期したデジタル信号に変換される。そしてＢＰＦ（バンドパスフィルタ）８によって特定の周波数成分のみ抽出され、ＧＡＴＥ９により撮影画中の特定部分の信号が抽出される。１０は画像記録をコントロールするレコーダ制御回路である。ＧＡＴＥ９より出力された信号はカメラマイコン１１に入力され信号値が最大となるようオートフォーカス制御が行われる。ここでカメラマイコン１１はストロボ１３が装着されていれば、発光量，補助光のＯＮ／ＯＦＦ，充電状態等のデータを通信でやり取りし、静止画用２段スイッチ（レリーズボタン）１２が半押し状態でかつ被写体が暗い場合には、カメラマイコン１１はストロボ１３に対しＡＦ補助光を発光させるように通信する。ピントが合えばカメラマイコン１１はフォーカスレンズ１をロックし、静止画用２段スイッチ１２が全押しされるのを待つ。ピントが合ったのを確認し撮影者が静止画用２段スイッチ１２を全押しすると、カメラマイコン１１は被写体が適正露光になるようにストロボの発光量を制御して発光させる。また発光に同期した映像はレコーダ制御回路１０内のメモリに書込まれ静止画としてテープに約６．５秒間書込まれる。しかしながら暗い被写体である場合、ＴＶオートフォーカス（撮像素子から得られるビデオ信号の特定空間周波数成分を測距に用いる方式）等を搭載したビデオカメラでは画面中の被写体にコントラストがないためオートフォーカスができない。そのためにカメラマイコン１１はストロボ１３のＡＦ補助光を発光させ被写体を明るくするように制御する。通常赤色ＬＥＤ（波長７００ｎｍ）等が補助光光源として用いられているため、レンズの色収差によってピントがぼけてしまうことになり、カメラマイコン１１は赤色ＬＥＤ発光時にはストロボメイン発光時にジャストピントになるようピント補正を行う。このように暗い中での静止画撮影にＡＦ補助光を内蔵したストロボを用いるシステムでは、オートフォーカスによるピント合わせにＡＦ補助光として赤外ＬＥＤを発光させ、ピント補正を行うものが提案されている。
【０００５】
次に図５に示す従来例のカメラマイコン１１のフローを図６に示す。
【０００６】
＃６００  このフローの始まりであり、所定のタイミングで繰り返し開始される。
【０００７】
＃６０１  静止画記録中であるかを判断する。
【０００８】
＃６０２  フォーカスロック状態であるかを判断する。
【０００９】
＃６０３  静止画記録用スイッチ１２が半押し状態であるかを判断する。
【００１０】
＃６０４  ＃６０３で半押し状態である場合に露出をロックする。
【００１１】
＃６０５  被写体の明るさが基準値未満であるかを判断する。
【００１２】
＃６０６  ＃６０５で基準値未満である場合、ＡＦ補助光を発光させる。
【００１３】
＃６０７  補助光発光によるピントずれを補正する。
【００１４】
＃６０８  合焦したかどうかを判断する。
【００１５】
＃６０９  ＃６０８で合焦していれば、フォーカスをロックする。
【００１６】
＃６１０  補助光を消灯する。
【００１７】
＃６１１  静止画記録用スイッチ１２が全押し状態であるかを判断する。
【００１８】
＃６１２  ＃６１１で全押し状態であれば、プリ発光を行う。
【００１９】
＃６１３  プリ発光の結果で、メイン発光量を演算する。
【００２０】
＃６１４  演算にもとづいた発光量でメイン発光を行う。
【００２１】
＃６１５  メイン発光で取り込んだ映像の記録を開始する。
【００２２】
＃６１６  このフローの終了を示す。
【００２３】
ここで図６に示す従来例のフローの処理について、説明する。
【００２４】
＃６００  ある一定周期でこの処理を行うことを示す。
【００２５】
＃６０１  静止画記録中であれば＃６１６に飛び、何も処理をせずにこのフローを終了する。静止画記録中でなければ、＃６０２の処理を行う。
【００２６】
＃６０２  フォーカスロック状態にあるかを判断する。フォーカスロック状態であれば＃６１１の処理に飛び、全押し状態であるかの判断を行う。フォーカスロック状態でなければ＃６０３の処理に移り、静止画記録用スイッチ１２の半押し判断を行う。
【００２７】
＃６０３  静止画記録用スイッチ１２が半押し状態であるかを判断する。半押し状態であれば＃６０４の処理に移り、露出をロックする。半押し状態でなければ＃６１６に飛び、何も処理をせずにこのフローを終了する。
【００２８】
＃６０４  露出をロックする。
【００２９】
＃６０５  被写体の明るさが基準値未満である場合は＃６０６の処理に移り、補助光を発光させる。基準値以上である場合はオートフォーカスに補助光は不要と判断し＃６０８の処理に飛び、合焦の判断を行う。
【００３０】
＃６０６  オートフォーカスのための補助光を発光させ、＃６０７の処理へ移る。
【００３１】
＃６０７  赤外補助光発光時のレンズ色収差を考慮してピント位置を補正し、＃６０８の処理へ移る。
【００３２】
＃６０８  合焦かどうかの判定を行い、ジャストピントであれば＃６０９の処理に移りフォーカスをロックする。合焦でなければオートフォーカス動作を継続し、このフローを終了する。
【００３３】
＃６０９  合焦したと判断しフォーカスをロックし、＃６１０の処理へ移る。
【００３４】
＃６１０  オートフォーカス用の補助光は不要となるため消灯し、＃６１１の処理に移る。
【００３５】
＃６１１  静止画記録用スイッチ１２が全押しされたかを判断し、全押しされていれば＃６１２の処理に移り、プリ発光を行う。全押しされていなければ何も処理をせずにこのフローを終了する。
【００３６】
＃６１２  メイン発光量を決定するためのプリ発光を行い、＃６１３の処理へ移る。
【００３７】
＃６１３  プリ発光の結果から被写体の明るさを演算しメイン発光量を決定する。そして＃６１４の処理に移る。
【００３８】
＃６１４  演算にもとづいたメイン発光量の発光を行い、＃６１５の処理に移る。
【００３９】
＃６１５  メイン発光に同期した映像をレコーダ制御回路１０を介して不図示のメモリに記録し、そのメモリ画をテープに記録する。
【００４０】
＃６１６  このフローの終了を示す。
【００４１】
以上のように従来例では、カメラマイコン１１が被写体の明るさを判断し、暗い被写体でもオートフォーカス制御ができるように赤外ＬＥＤを照射しピント合わせを行うが、赤外光によってピントを合わせるとレンズの色収差のために、メイン発光時ではピントがずれて写ってしまうことになる。そのため赤外補助光を照射しオートフォーカスを行った場合、カメラマイコン１１がレンズの色収差に応じたピント補正を行っていた。
【００４２】
なお、背景技術を示す特許文献としては、下記特許文献１、２がある。特許文献１は、本体マイコンから送られてくる自動焦点調節の情報にもとづいて、レンズマイコンがフォーカスレンズを移動させピント合わせを行う例であり、特許文献２は、カメラ本体から補助光を発光する際に、記憶値にもとづいてレンズにおけるデフォーカス量を補正する例である。
【特許文献１】特開平９−２４３８９９号公報
【特許文献２】特開平１−２２１７１１号公報
【発明の開示】
【発明が解決しようとする課題】
【００４３】
しかしながら、レンズが交換レンズであり、この交換レンズがオートフォーカス機能の一部（演算回路，プログラム等）を担っている場合には、ボディに装着されたストロボ補助光が発光しているかいないかを判断できないため、レンズで赤外補助光によるピントずれを補正できない。またストロボ補助光使用時に赤外光でピントを合わせてしまうとメイン発光時ピントがずれて静止画取り込みを行ってしまい、メイン発光によって取り込んだ静止画がピントがずれて写ってしまうという問題があった。
【００４４】
本発明は、このような状況のもとでなされたもので、オートフォーカス機能の一部を有する交換レンズを用いても、オートフォーカス用補助光使用によるピントずれが補正できる、カメラ本体およびレンズ装置を提供することを課題とするものである。
【課題を解決するための手段】
【００４５】
前記課題を解決するため、本発明では、カメラ本体を次の（１）のとおりに、レンズ装置を次の（２）のとおりに構成する。
（１）画像信号の周波成分に基づいた評価値をカメラ本体から受信してフォーカスレンズ位置を制御する機能を有するとともに、
受信した測光データに基づいて第１の信号を送信するか否かを決定し、前記カメラ本体から送られてくる第２の信号に基づいて、オートフォーカス用の補助光が発光されている場合には補助光発光に伴うピントずれの補正を前記フォーカスレンズ位置の制御の際に行う補正手段を有する交換レンズが装着可能なカメラ本体であって、
測光データを前記交換レンズに送信でき、かつ第１の信号を受信するとともに、受信した当該第１の信号に応じて第２の信号を前記交換レンズに送信できる通信手段を備え、
前記第１の信号は前記オートフォーカス用の補助光の発光を指示する信号であり、前記第２の信号は受信した当該第１の信号に応じて当該補助光の発光／消灯状態を示す信号であるカメラ本体。
（２）測光データを送信でき、かつオートフォーカス用の補助光の発光を指示する第１の信号を受信するとともに、受信した当該第１の信号に応じて当該補助光の発光／消灯状態を示す第２の信号を送信できる第１の通信手段を備えたカメラ本体と装着可能なレンズ装置であって、
カメラ本体から受信した画像信号の周波成分に基づいた評価値に基づいてフォーカスレンズ位置を制御する制御手段と、
前記第１の信号を送信するとともに、前記測光データおよび前記第２の信号を受信できる第２の通信手段と、受信した前記測光データに基づいて前記第１の信号を送信するか否かを決定し、前記カメラ本体から送られてくる前記第２の信号に基づいて、前記オートフォーカス用の補助光が発光されている場合には補助光発光に伴うピントずれの補正を焦点調節の際に行う補正手段と
を備えたレンズ装置。
【発明の効果】
【００５３】
本発明によれば、オートフォーカス機能の一部を有する交換レンズを用いても、オートフォーカス用補助光使用によるピントずれを補正することができ、品位の高い良好な静止画を得ることができる。
【発明を実施するための最良の形態】
【００５４】
以下本発明の実施の形態をビデオカメラシステムの実施例により詳しく説明する。なお実施例は装置の形であるが、本発明はこれに限らず、撮影方法の形で同様に実施することができる。また、実施例は、ストロボに設けたオートフォーカス用の補助光についてのものであるが、本発明はこれに限らず、カメラ本体に設けたオートフォーカス用の補助光についても同様に実施することができる。
【実施例】
【００５５】
（実施例）
図１は実施例である“ビデオカメラシステム”の構成を示すブロック図である。
【００５６】
図１において、前述の図５に示す従来例と同構成部分については同符号を付けここでの詳細な説明は省略する。なおカメラマイコンは従来例とソフトウエアが異なるので、枝番“−１”を付して区別している。
【００５７】
図１において、従来例と差異があるのはレンズ５０内にオートフォーカス機能の一部を有するレンズマイコン１４が内蔵され、本体６０側のカメラマイコン１１−１と通信を行っていることである。このようにレンズにオートフォーカス機能を持っている（カメラ本体のオートフォーカス機能を、レンズのオートフォーカス機能により拡張している）ビデオカメラシステムでは、カメラ本体側から通信を介して画像情報から抽出されたオートフォーカス評価値をレンズ側に送り、レンズ側でピント合わせを行うことになる。ここで図２にレンズ−カメラ本体間の通信内容の一部を示す。カメラ本体→レンズ通信ではレンズ５０の絞り制御に使用する測光評価値やオートフォーカス制御を行うためのＡＦ評価値の他に、ストロボが装着されているか否か等を示すストロボステータス，静止画用２段スイッチ１２の押下状態を示すステータス，レコーダが記録状態かどうかを示すＲＥＣステータスを送信する。ストロボステータスはストロボ装着を示すビット，ストロボ補助光が点灯しているか否かを示すビットがあり、静止画用２段スイッチステータスはカメラ本体６０の静止画用２段スイッチ１２が半押し状態か全押し状態かを示す。またＲＥＣステータスはカメラ本体６０のレコーダが記録中であるか否かを示す。レンズ５０はＲＥＣステータスと静止画用２段スイッチステータスにより静止画記録を行うことを認識し、カメラ本体６０から送信されてきた測光情報を基に画面の明るさを判断し、オートフォーカス用補助光を点灯させるか否かのリクエストをカメラ本体６０に送信する。このときカメラ本体６０はレンズ５０から送信されてきた補助光発光リクエストにもとづき、ストロボ１３に対し補助光の発光／消灯を行う。またカメラ本体６０は補助光の発光／消灯状態をカメラ本体→レンズ通信を介して、レンズ５０に送信する。レンズ５０は補助光が発光状態でピント合わせを行っていればピント補正を行い、消灯状態でピント合わせを行った場合はピント補正を行わずにフォーカスロックし、カメラ本体６０に合焦／非合焦情報を返信する。このようにレンズ５０はカメラ本体６０にストロボが装着されているかいないかを識別し、静止画撮影時に画面が暗ければ補助光を発光させるようカメラ本体６０に通信を介してリクエストし、カメラ本体６０はレンズ５０からの補助光発光／消灯リクエスト通りに補助光の発光／消灯を行う。このときカメラ本体６０は補助光の発光／消灯のステータス情報をレンズ５０に返信し、レンズ５０は補助光が発光状態でピント合わせを行っていればメイン発光時のためにピント補正を行い、補助光が消灯状態でピント合わせを行っていれば、ピント補正を行わないように動作する。
【００５８】
この動作を示すレンズマイコン１４のフローを図３に示す。
【００５９】
＃３００  このフローの始まりであり、所定のタイミングで繰り返し開始される。
【００６０】
＃３０１  カメラ本体６０との通信を行う。
【００６１】
＃３０２  ＲＥＣステータスにより静止画記録中か否かを判別する。
【００６２】
＃３０３  フォーカスロック中であるか否かを判別する。
【００６３】
＃３０４  静止画用２段スイッチステータスにより半押し状態か否かを判別する。
【００６４】
＃３０５  測光値により画面の明るさの度合いを判別する。
【００６５】
＃３０６  カメラ本体６０に対し、補助光を発光させるリクエストを行う。
【００６６】
＃３０７  カメラ本体６０に対し、補助光を消灯させるリクエストを行う。
【００６７】
＃３０８  補助光が発光しているか否かを判別する。
【００６８】
＃３０９  補助光が発光していた場合にピント補正を行う。
【００６９】
＃３１０  合焦しているかどうかの判定を行う。
【００７０】
＃３１１  合焦している場合にフォーカスをロックさせる動作を行う。
【００７１】
＃３１２  フォーカスロック後、補助光を消灯させるリクエストを行う。
【００７２】
＃３１３  このフローの終了を示す。
【００７３】
この場合のレンズマイコン１４の処理を図３のフローチャートを用いて説明する。
【００７４】
＃３００はこのフローの始まりであり、所定のタイミングで繰り返し開始される。＃３０１はレンズ−カメラ間通信を行う。＃３０１で行われる通信の受信データのＲＥＣステータスよりカメラ本体６０が静止画記録中であるかどうかを判別し、静止画記録中であれば＃３１３の処理に飛び、このフローを終了する。静止画記録中でなければ＃３０３の処理へ移り、フォーカスロック中であるかどうかの判別を行う。＃３０３でフォーカスロックされていれば＃３１３の処理に飛び、このフローを終了する。フォーカスロックがされていなければ、＃３０４の処理に移る。＃３０４ではカメラ本体６０との通信の受信データより静止画記録用２段スイッチ１２が半押しされているのか、それとも全押しされているのかを判別する。半押し状態であれば、＃３０５の処理に移り、明るさの判別を行い、半押し状態でなければ＃３１３の処理に飛び、このフローを終了する。＃３０５ではカメラ本体６０からの測光データより画面の明るさを基準値と比較し、基準値未満であれば＃３０６の処理に移り、補助光発光リクエストを行う。基準値以上であれば被写体は明るいため補助光不要と判断し、＃３０７の処理に移り、補助光消灯リクエストを行う。＃３０８ではカメラ本体６０からのストロボステータスで補助光が発光しているかどうかを判断する。補助光が発光していれば＃３０９の処理に移り、補助光発光に伴うピントずれの補正を行い、メイン発光時の静止画にピントずれが生じないようにする。補助光が発光していなければ、＃３０９のピント補正を行わずに＃３１０の処理に飛ぶ。＃３１０では合焦しているか否かを判断し、合焦していれば＃３１１の処理に移り、フォーカスロックを行う。合焦していなければ＃３１３の処理に飛び、このフローを終了する。＃３１２ではフォーカスがロックされたため、補助光消灯のリクエストを行う。次に＃３１３の処理に移り、このフローを終了する。
【００７５】
以上のようにレンズマイコン１４は、レンズ−カメラ通信でカメラ本体６０のストロボ装着を認識し補助光発光リクエストをカメラ本体６０に送信し、カメラ本体６０から送られてくる補助光発光ステータスによってピント補正を行うかを決定することで補助光発光時のピント補正が確実に行われるようになり、品位の高いピントの合った静止画像が取り込むことができる。
【００７６】
図４にカメラマイコン１１−１のフローを示す。
【００７７】
＃４００  このフローの始まりであり、所定のタイミングで繰り返し開始される。
【００７８】
＃４０１  レンズ５０との通信を行う。
【００７９】
＃４０２  静止画記録中であるかを判別する。
【００８０】
＃４０３  レンズ５０から補助光発光リクエストがあるのか否かを判別する。
【００８１】
＃４０４  ストロボ１３に対し補助光発光リクエストをセット。
【００８２】
＃４０５  ストロボ１３に対し補助光消灯リクエストをセット。
【００８３】
＃４０６  ストロボ１３と通信し、補助光発光／消灯リクエストをストロボ１３に送信。
【００８４】
＃４０７  ストロボ補助光が発光しているか否かのステータスをセット。
【００８５】
＃４０８  このフローの終了を示す。
【００８６】
＃４０１のレンズ５０との通信で図２にあるようにストロボ装着ビット，ストロボ発光ステータスビット，ストロボ発光リクエスト，合焦ステータスビットを送受信することで、レンズ５０はカメラ本体６０へのストロボの装着を認識し、暗い被写体のときは補助光発光リクエストをカメラ本体６０へ送り、カメラ本体６０は補助光発光ステータスをレンズ５０に返し、そしてレンズ５０は補助光が発光していれば、フォーカスピント位置を補正してメイン発光時にピントずれを起こさないように制御する。
【００８７】
以上説明したように、本実施例によれば、ビデオカメラシステムにおけるストロボ装着時の静止画撮影で、レンズ−カメラ間通信にストロボ装着ビット，ストロボ補助光発光ステータスビット，ストロボ発光リクエストビットを持つことで、ストロボの有無，補助光発光状態をレンズ側で認識でき、ストロボ発光リクエストによって補助光を発光／非発光を制御することが可能となり、静止画撮影時に赤外補助光によるピントずれがあるかないかを判断して的確にピントずれを補正することができ、品位の高い良好な静止画を記録することができる。
【図面の簡単な説明】
【００８８】
【図１】実施例の構成を示すブロック図
【図２】レンズ−カメラ本体間の通信内容を示す図
【図３】レンズマイコンの処理を示すフローチャート
【図４】カメラマイコンの処理を示すフローチャート
【図５】従来例の構成を示すブロック図
【図６】従来例の動作を示すフローチャート
【符号の説明】
【００８９】
１１−１  カメラマイコン
１４      レンズマイコン
５０      レンズ
６０      カメラ本体
【図１】
0004273171.tif 000002
【図２】
0004273171.tif 000003
【図３】
0004273171.tif 000004
【図４】
0004273171.tif 000005
【図５】
0004273171.tif 000006
【図６】
0004273171.tif 000007